(57)【特許請求の範囲】
【請求項１】
収納凹部を有するホルダー本体と、  ホルダー本体に軸支され回動可能に取付けられた蓋本体と、  螺旋状のコイル部と、該コイル部の一端から接線方向に延びる第１の腕部と、  前記コイル部の他端から接線方向に延びる第２の腕部とを有するねじりばねと、  前記蓋本体に設けられ、前記第１の腕部の端部を回動可能に係止する係止部と、  前記ホルダー本体に設けられ、前記第２の腕部の揺動を規制する規制部と、  前記ホルダー本体に設けられ、前記第１の腕部の端部が係止された状態において、前記第２の腕部の端部と遊嵌する取付部と、  前記ホルダー本体は、前記コイル部の軸方向の揺動を制限する制限部を有し、  前記制限部は、前記コイル部が揺動により移動する方向に設けられたリブであり、該リブの取付方向側の端部をテーパー状に構成していることを特徴とする収納具。
【発明の詳細な説明】
【技術分野】
【０００１】
本発明は蓋本体をホルダー本体に回動可能に軸支し、ねじりばねにより蓋本体を開、閉方向に付勢する構造を有した収納具に関する。
【背景技術】
【０００２】
従来、蓋本体とホルダー本体の２つの部材間にねじりばねを架設することで、その操作性を向上させるようにしたものがある。具体的には、開閉ドアや開閉蓋においては、これらを支持する部材との間にねじりばねが架設されることにより、これらドアまたは蓋が開く方向や閉じる方向に付勢されるようにした構造が採用されている。
【０００３】
例えば、特許文献１に記載される車両用灰皿は、上部が開口する灰皿のアウターケースと、このアウターケースに取付けられた支持軸に対して回動してアウターケースの開口を開閉するリッドとを備えている。そして、このリッドに形成される装着孔とアウターケースに形成される装着軸との間にコイルスプリング（ねじりばね）が架設されており、これによりこのリッドは開く方向にも閉じる方向にも付勢されるように構成されている。
【０００４】
図７は、このコイルスプリング１００とアウターケース１１０における装着軸１１５の周辺の構成とを示している。図７に示すように、このコイルスプリング１００は、針金状のばね材がコイル状に巻かれてなるコイル部１０１と、このコイル部１０１の一端から接線方向に引き出された第１の腕部１０２と、同コイル部１０１の他端から接線方向に引き出された第２の腕部１０３とを備え、全体として「Ｖ」字状に形成されている。また、第２の腕部１０３の端部には、リング部１０５が形成されるとともに、アウターケース１１０にはこのリング部１０５が遊嵌される装着軸１１５が形成されている。さらに、アウターケース１１０には、この装着軸１１５に遊嵌されたリング部１０５が付勢された時に係合する係合溝１１６が形成されている。このような構成により、このコイルスプリング１００は、第１の腕部１０２の端部がリッドの装着孔に係止された状態で、第２の腕部のリング部１０５を装着軸１１５に遊嵌させると、リング部１０５が係合溝１１６に係合して抜け止めされるようになっている。
【特許文献１】特開２００３−２４０３９号公報
【発明の開示】
【発明が解決しようとする課題】
【０００５】
ところで、上記特許文献１に記載の車両用灰皿において、第２の腕部１０３のリング部１０５を装着軸１１５と遊嵌させる際には、このコイルスプリング１００において、第１の腕部１０２と第２の腕部１０３とがなす「Ｖ」字が閉じられるように、コイル部１０１を中心として第２の腕部１０３を回動させる。そして、この状態で、コイルスプリング１００の第２の腕部１０３のリング部１０５がアウターケース１１０側に押し付けられる。つまり、第２の腕部１０３のリング部１０５を、コイルスプリング１００の「Ｖ」字の開閉方向とコイル部１０１の軸方向との２方向においてその位置を規制しながら装着軸１１５に遊嵌させなければならず、その作業性に問題を残すものとなっている。
【０００６】
本発明は、こうした実情に鑑みてなされたものであり、その目的は、蓋本体とホルダー本体との間でねじりばねを架設するにあたり、このねじりばねを容易に取付けることができるねじりばねの取付構造を有する収納具を提供することにある。
【課題を解決するための手段】
【０００７】
前記目的を達成するために本件本発明の請求項１の発明は、収納凹部を有するホルダー本体と、ホルダー本体に軸支され回動可能に取付けられた蓋本体と、螺旋状のコイル部と、コイル部の一端から接線方向に延びる第１の腕部と、コイル部の他端から接線方向に延びる第２の腕部とを有するねじりばねと、蓋本体に設けられ、第１の腕部の端部を回動可能に係止する係止部と、ホルダー本体に設けられ、第２の腕部の揺動を規制する規制部と、ホルダー本体に設けられ、第１の腕部の端部が係止された状態において、第２の腕部の端部と遊嵌する取付部と、前記ホルダー本体は、前記コイル部の軸方向の揺動を制限する制限部を有し、該リブの前記制限部は、前記コイル部が揺動により移動する方向に設けられたリブであり、取付方向側の端部をテーパー状に構成していることを特徴とする。
【００１２】
上記構成では、第２の腕部の規制を行う規制部と共に第２の腕部の端部の動きが制限されるため、端部の取付部への遊嵌を容易に行うことができ、簡単なリブ構成によりコイル部の揺動を規制する構成としたので、安価で軽量に制限部を形成することができる。また、第２の腕部の挿入性を考慮して、制限部としてのリブの取付方向側の端部をテーパー状に構成している。
【発明の効果】
【００１３】
本発明の収納具では、ねじりばねを第１の部材の係止部に係止させた状態で、規制部により第２の腕部の端部位置規制を行うことにより、蓋本体を回動動作時にねじりばねが安定的に動作すると共に、第２の腕部の端部及び取付部の形状を簡単構成とすることができるので、第２の腕部の端部を取付部と容易に遊嵌させることができる。
【発明を実施するための最良の形態】
【００１４】
以下、本件発明の収納具の構造をカップホルダーに具現化した実施形態について、図１〜図６を参照して面に基づいて説明する。
図１及び図２には、カップホルダー１の蓋本体３０を閉じた状態、及び開いた状態の斜視図を示す。この収納具としてのカップホルダー１は、車両前部の座席間のコンソール部分に配置されるもので、ペットボトルなどの飲用容器を収容する収納凹部としての開口１１を有するホルダー本体１０と、収容部を覆う蓋本体３０と、使用時に蓋本体３０を収容する蓋受部１２から構成されている。このホルダー本体１０の側面には、蓋本体３０を開・閉状態を保持するためのねじりばね５０が取付けられている。
【００１５】
次に、図３及び図４にカップホルダー１を側面から見た図で、蓋本体３０が閉じた状態、及び開いた状態を示している。
この図３、図４に示すように、蓋本体３０の側面に一体的に設けられた円形状の側板３２に軸４０でホルダー本体１０とねじ４２により軸支されている。また、蓋本体３０の後側には、回動した蓋本体３０が収納される蓋受部１２が設けられている。蓋受部１２は前側のホルダー本体１０よりも側方に突出する形状となっており、蓋本体３０が回動して開状態になった蓋本体３０の下端部が当接する段部（図示せず）を有している。
【００１６】
ホルダー本体１０の側方には、ねじりばね５０の第２の腕部５６の第２端部５７が遊嵌される取付部１８が設けられている。取付部１８は、ホルダー本体１０に一体的に逆L字状に形成されている。そして、第２の腕部５６の略中央には、ホルダー本体１０に一体的に形成された逆L字状の規制部１４が設けられている。この規制部１４は、取付状態でのねじりばねの反転などの必要以上の動きを規制し安定し動作させるために設けられ、第２の腕部５６を上方から側方に覆うように設けられている。
【００１７】
コイル部５２とホルダー本体１０との間には、コイル部のホルダー本体側への揺動を制限するための制限部としての２本のリブ１６が設けられている。このリブ１６は、蓋本体３０が開閉された時のコイル部５２の移動方向に形成され、コイル部５２揺動しホルダー本体１０側に倒れこんだ場合、当接するように配置されている。
【００１８】
ねじりばね５０の第１の腕部５４の第１端部５５は蓋本体３０の側方に形成された側板３２の係止部としての貫通孔３４に回動可能に係止されている。
次に、図５のねじりばねの斜視図及び図６のねじりばねの取付部分の断面図（蓋本体を閉じた状態）に基づき、ねじりばねの形状、取付状態について説明する。このねじりばね５０は、コイル部５２を中心にコイル部５２の接線方向に約１２０度程度の角度で、第１の腕部５４と第２の腕部５６が形成されている。第１の腕部５４と第２の腕部５６の先端側には、異なるクランク形状の第１端部５５と第２端部５７が形成されている。第１端部５５は、第１の腕部５４からコイル部５２の軸方向のコイル部５２側方向に直角に曲げられ、さらにその先端は、図５の左側のコイル部５２の軸方向から見て、第１の腕部５４から６０度程度時計逆回り方向に直角に曲げられている。これにより、ねじりばね５０の第１端部を貫通孔３４に挿入しやすい形状となっている。
【００１９】
また、第２の腕部５６の第２端部５７は、コイル部５２の軸方向のコイル部から離間する方向に直角に曲げられ、さらにその先端は、図５の左側のコイル部５２の軸方向から見て、第２の腕部から９０度程度時計逆回り方向に直角に曲げられている。これは、ねじりばね５０の第２端部を取付部１８の取付溝２０に遊嵌すると共に、取付部から外れることがないような形状となっている。
なお、このねじりばね５０は、第１端部を貫通孔３４に挿入し回動可能に係止したのち、蓋本体３０を閉じた状態でコイル部５２を保持しながら、第２端部５７を取付部１８の取付溝２０に下方から挿入して組付ける。
【図面の簡単な説明】
【００２０】
【図１】本発明に係る実施形態のカップホルダーの蓋が閉じた状態の斜視図である。
【図２】本発明に係る実施形態のカップホルダーの蓋が開いた状態の斜視図である。
【図３】本発明に係る実施形態のカップホルダーの蓋が閉じた状態の側面図である。
【図４】本発明に係る実施形態のカップホルダーの蓋が開いた状態の側面図である。
【図５】本発明に係る実施形態のカップホルダーに用いるねじりばねの斜視図である。
【図６】本発明に係る実施形態のカップホルダーのねじりばねの蓋が閉じた状態の取付構造を示す断面図である。
【図７】従来技術のねじりばねの取付構造を示す斜視図である。
【符号の説明】
【００２１】
１      ：  カップホルダー（収納具）
１０    ：  ホルダー本体
１１    ：  開口（収納凹部）
１２    ：  蓋受部
１４    ：  規制部
１６    ：  リブ（制限部）
１８    ：  取付部
２０    ：  取付溝
３０    ：  蓋本体
３２    ：  側板
３４    ：  貫通孔（係止部）
４０    ：  軸
４２    ：  ねじ
５０    ：  ねじりばね
５２    ：  コイル部
５４    ：  第１の腕部
５５    ：  第１端部
５６    ：  第２の腕部
５７    ：  第２端部
【図１】
0005272452.tif 000002
【図２】
0005272452.tif 000003
【図３】
0005272452.tif 000004
【図４】
0005272452.tif 000005
【図５】
0005272452.tif 000006
【図６】
0005272452.tif 000007
【図７】
0005272452.tif 000008